(57)【要約】【課題】塗布面を損傷することなく、指を汚さずに簡単に把持することができ、使用が簡単で従来製品の欠点を有さない塗布具用品を提供することである。【解決手段】化粧製品、特にメイクアップ製品又はスキンケア製品を塗布するための用品（１）であって、  塗布面（１１）を形成する第１の面と、該第１の面の反対側にある、少なくとも部分的に粘着層（１２）で覆われた第２の面（１４）とを有している少なくとも１つの塗布具（１０）であって、該第１の面が塗布すべき製品を保持している塗布具（１０）と、  粘着層を覆っている裏シート（２０）であって、最初の使用前には、塗布具の下側で少なくとも部分的に延びていて且つシートを少なくとも２つの部分（２１、２２）に分離可能にしている脆弱化領域（３１）又は切込み（３２、３３）を備えていて、該脆弱化領域又は切込みの両側で、該裏シートの周囲の少なくとも一部（２１ａ、２２ａ）で塗布具を越えて突出している裏シート（２２）とを有している用品（１）。【選択図】図１
2005261947.tif 000002
【特許請求の範囲】
【請求項１】
化粧製品、特にメイクアップ製品又はスキンケア製品を塗布するための用品（１）であって、
塗布面（１１）を形成する第１の面と、該第１の面の反対側にある、少なくとも部分的に粘着層（１２）で覆われた第２の面（１４）とを有する少なくとも１つの塗布具（１０）であって、該第１の面が塗布すべき製品を保持している塗布具（１０）、
最初の使用前に前記粘着層を覆っている裏シート（２０）であって、最初の使用前には、塗布具の下に少なくとも部分的に延びて且つ該裏シートを少なくとも２つの部分（２１、２２）に分離可能にしている脆弱化領域（３１）又は切込み（３２、３３）を備えており、該脆弱化領域又は切込みの両側で、塗布具の周囲の少なくとも一部（２１ａ、２２ａ）を越えて突出している裏シート（２２）
を有している用品（１）。
【請求項２】
前記裏シート（２０）が、前記塗布具（１０）の全周囲にわたって前記塗布具を越えて突出していることを特徴とする、請求項１に記載の用品。
【請求項３】
前記裏シート（２０）がシリコーン処理された紙からなっていることを特徴とする、請求項１又は２に記載の用品。
【請求項４】
前記切込み（３２、３３）が線に沿って延びていることを特徴とする、請求項１ないし３のいずれか１項に記載の用品。
【請求項５】
前記線が非連続的に切られている（３２）ことを特徴とする、請求項４に記載の用品。
【請求項６】
前記線が連続的に切られている（３３）ことを特徴とする、請求項４に記載の用品。
【請求項７】
前記脆弱化領域（３１）又は切込み（３２、３３）が直線に沿って延びていることを特徴とする、請求項１ないし６のいずれか１項に記載の用品。
【請求項８】
前記脆弱化領域（３１）又は切込み（３２、３３）が曲線に沿って延びていることを特徴とする、請求項１ないし６のいずれか１項に記載の用品。
【請求項９】
前記塗布具には塗布すべき製品が含浸されていることを特徴とする、請求項１ないし８のいずれか１項に記載の用品。
【請求項１０】
前記塗布面（１１）が塗布すべき製品の層（１３）で被覆されていることを特徴とする、請求項１ないし９のいずれか１項に記載の用品。
【請求項１１】
前記製品が化粧製品であることを特徴とする、請求項１ないし１０のいずれか１項に記載の用品。
【請求項１２】
前記塗布具（１０）が、多孔性又は繊維性の材料、特に熱可塑性発泡体材料、スポンジ、フェルト、非織物状材料、又は織物状材料、特に木綿のような天然繊維からなっていることを特徴とする、請求項１ないし１１のいずれか１項に記載の用品。
【請求項１３】
前記塗布具（１０）が弾性的に変形可能な材料からなっていることを特徴とする、請求項１ないし１２のいずれか１項に記載の用品。
【請求項１４】
前記塗布具（１０）が多層構造を有していることを特徴とする、請求項１ないし１３のいずれか１項に記載の用品。
【請求項１５】
前記塗布面（１１）が、フロック材料（１５）、非織物状材料又は織物状材料で覆われていることを特徴とする、請求項１ないし１４のいずれか１項に記載の用品。
【請求項１６】
前記粘着層（１２）が低刺激性粘着剤を含むことを特徴とする、請求項１ないし１５のいずれか１項に記載の用品。
【請求項１７】
前記粘着層（１２）が、前記塗布具の、塗布面と反対側の面（１４）全体にわたって広がっていることを特徴とする、請求項１ないし１６のいずれか１項に記載の用品。
【請求項１８】
前記粘着層（１２）が、前記塗布具の、塗布面と反対側の面（１４）を部分的に覆っていることを特徴とする、請求項１ないし１６のいずれか１項に記載の用品。
【請求項１９】
前記塗布具（１０）の厚さに沿った横断面が平らな形状を有しており、前記粘着層（１２）が塗布面に対して実質的に平行に延びていることを特徴とする、請求項１ないし１８のいずれか１項に記載の用品。
【請求項２０】
前記塗布具（１０）の厚さに沿った横断面が、少なくとも塗布面の側で凸形状を有していることを特徴とする、請求項１ないし１９のいずれか１項に記載の用品。
【請求項２１】
前面が円形の形状を有していることを特徴とする、請求項１から２０までのいずれか１項に記載の用品。
【請求項２２】
前面が非円形の形状、特にほぼ三角形、多角形、楕円形、水滴形又はアーモンド形の形状を有していることを特徴とする、請求項１ないし２０のいずれか１項に記載の用品。
【請求項２３】
複数の塗布具を有していることを特徴とする、請求項１ないし２２のいずれか１項に記載の用品。
【請求項２４】
最初の使用前には、前記塗布面（１１）が、前記裏シート（２０）の前記塗布具（１０）を越えて突出する部分に着脱可能に装着されたフィルム（４０）で覆われていることを特徴とする、請求項１ないし２３のいずれか１項に記載の用品。
【請求項２５】
請求項１ないし２４のいずれか１項に記載の用品（１）を使用して化粧製品を塗布する方法であって、
前記脆弱化領域（３１）又は切込み（３２、３３）の両側の、前記裏シート（２０）の部分（２１ａ、２２ａ）で用品を把持するステップ、
前記塗布具（１０）の２つの部分（２１、２２）の一方（２２）を取り外してシート（２０）を２つに分離することにより、粘着層（１２）部分的に露出させるステップ、
露出した前記粘着層（１２）に１本又は複数本の指を載せるステップ、
前記裏シート（２０）の２つの部分のもう一方（２１）を前記塗布具から引き出すステップ、及び
処理すべき領域に塗布面を適用するステップ
を含む方法。
【請求項２６】
請求項１ないし２４のいずれか１項に記載の用品の、化粧製品、特に消毒用製品、日焼け止め、保湿用製品、小じわ取り製品、マニキュア液、ファンデーション、頬紅、アイシャドウ、口紅、メイク落とし、ヘアケア製品、染髪製品、デオドラント又は制汗用製品、もしくは香水の塗布のための使用法。
【発明の詳細な説明】
【技術分野】
【０００１】
本発明は、特に化粧製品用の製品塗布具であって、指に粘着させて処理すべき面における製品の塗布を簡単にすることを目的とする。
「化粧製品」という表現は、１９９３年６月１４日に採択されたＥＣ理事会指令書（Council Directive 93/35/CEE）の、６度目の補正指令書（Directive 76/768/CEE）で定義されたような製品を指す。
【背景技術】
【０００２】
実質的に平らな形状を有し、粘着剤の層を備えていることにより製品を塗布するために指に装着させることが可能となっている塗布具は公知であり、特に特許文献１に記載されている。
通常、粘着面は、その粘着剤を保護するために裏シートで覆われており、使用前にこの裏シートから塗布具が取り外される。
このように裏シートからの塗布具の取り外しを簡単にするために、塗布具を取出し容器内に配置することが知られている。特許文献１には、例えば取出し容器に巻きつけられた裏テープに装着された複数の塗布具が記載されている。このような取出し容器は、取出し容器への塗布具の巻きつけを可能にする比較的長い細片に装着された比較的多量の塗布具を取り出すためにより適したものである。
【０００３】
特許文献２にも、部分的に互いに重ねられている公知の粘着性のラベルが記載されている。このラベルは、裏テープを加えることなく、つまりラベルの粘着面に装着された糸のみによって取出し容器に巻きつけられており、これによりラベルが互いに結合され、且つラベルの分離が簡単になっている。この場合も、このような構成は、取出し容器に巻きつけることのできる比較的多量のラベルを取出すことに適している。さらに、これらのラベルは、製造ラインにおいて、ラベルの粘着面とは反対側の面に押し付けられるアームによって自動的に取り上げられるようになっており、そのラベルと接触している他のラベルから取り外されて、ボトルに装着される。このタイプの構成は、指先に装着することを目的とした製品塗布具には適していない。さらに、２つのラベルを分離させるためには粘着面と反対側の面への押し付けが必要であるので、このような構成は、粘着面と反対側の面が肌に適用されるようになっている塗布具には適していない。実際、塗布具が塗布すべき製品を保持している場合、その面が汚れたり、製品がはがれたりする危険がある。
【０００４】
また、特定の粘着性用品は、その粘着面を保護するために着脱可能な裏シートと一緒に個々に包装されるようになっている。これは、特に、把持領域を形成するように覆う２つの部分に分割された裏シートを備えている手当て用品の場合に当てはまる。手当て用品をその裏シートから取り外すには、その両面のそれぞれに指を載せて一方の手で用品を把持し、手当て用品を取り外すために対象物全体を折り曲げて把持領域を保持できるようにすることが必要である。このようなタイプの用品では、手当て用品が製品を保持していないので問題は生じない。しかし、製品塗布具の場合には、面が汚れたり指が汚れたりする危険を冒して塗布面に触れることはない方が望ましい。さらに、製品が、特に粉体層の形態で面に堆積されている場合、用品を折り曲げた時に製品の層が壊れてしまう危険がある。
特許文献３及び４にも、人体の一領域に、それを保護するために装着させることを目的とした手当て用品が記載されている。
【特許文献１】欧州特許出願第１３７４７１８号明細書
【特許文献２】欧州特許出願第０４６０６４９号明細書
【特許文献３】米国特許第５７１３８４２号明細書
【特許文献４】米国特許第５８４００５２号明細書
【発明の開示】
【発明が解決しようとする課題】
【０００５】
したがって、本発明の課題の１つは、従来技術の欠点を有していない粘着性の塗布具を提供することである。
本発明の課題は特に、使いやすい粘着性の塗布具を提供することである。
本発明の別の課題は、塗布面を損傷することなく簡単に把持できる塗布具用品を提供することである。
また、本発明の課題は、指を汚す危険なく簡単に把持できる塗布具用品を提供することである。
【課題を解決するための手段】
【０００６】
本発明によれば、これらの課題は、化粧製品、特にメイクアップ製品又はスキンケア製品を塗布するための用品であって、
塗布面を形成する第１の面と、この第１の面と反対の側にある、少なくとも部分的に粘着層で覆われた第２の面とを有し、第１の面が塗布すべき製品を保持している少なくとも１つの塗布具、及び
最初の使用前に粘着層を覆っている裏シートであって、少なくとも部分的に塗布具の下側に位置し、且つ裏シートを少なくとも２つの部分に分離可能にしている脆弱化領域又は切込みを備え、この脆弱化領域又は切込みの両側の縁の少なくとも一部で塗布具を越えて延びている裏シート
備えた用品を提供することによって解決される。
【０００７】
したがって、塗布具を越えて突出している裏シートの２つの部分は、塗布面に触れないで用品を取り上げるために保持できる把持領域を形成している。よって、この裏シートの一方の部分は、脆弱化領域又は切込みによってシートのもう一方の部分から分離させて塗布具から取り外すことができる。これにより、粘着面は部分的に解放され、使用者が、一方の手で塗布具を越えて突出している裏シートの一部を保持したまま、もう一方の手の指を塗布面に載せることが可能となる。このようにして、塗布具は、１つ又は複数の指に簡単に装着され、これにより塗布面を損傷する危険なく製品の塗布を簡単に行うことができる。
【０００８】
裏シートは、塗布具の全周囲にわたって塗布具を越えて突出していてよい。これにより、使用者は、複数の箇所で裏シートを把持することができる。
裏シートは、シリコーンで処理された媒体、特にシリコーン紙であってよい。
【０００９】
脆弱化領域は、連続的又は非連続的な線に沿って延るシートのより薄い領域とすることができる。
切り込みも、連続的又は非連続的な線に沿って延びていてよい。
脆弱化領域又は切込みは、直線及び/又は曲線に沿って延びていてよい。
【００１０】
塗布具は塗布すべき製品で含浸されている、及び/又は塗布具の塗布面が塗布すべき製品の層で被覆されていてよい。
製品は化粧製品であってよい。
塗布具は、多孔性又は繊維性材料、特に熱可塑性発泡材料、スポンジ、フェルト、非織物状材料又は織物状材料、特に木綿のような天然繊維からつくることができる。
塗布具は、比較的フレキシブルな塗布具が得られるように弾性的に変形可能な材料であってよい。
塗布具は複数層構造を有していてよい。
塗布面は、フロック材料、非織物状材料又は織物状材料で覆われていてよい。
【００１１】
粘着層は低刺激性の粘着剤を含んでいてよい。
粘着層は、塗布具の、塗布面とは反対側の面全体にわたって広がっていてよい。別の態様では、粘着層は、塗布面とは反対側の塗布具面を部分的に覆っていてよい。
【００１２】
塗布具の厚さに沿った横断面は平らな形状を有し、粘着層は塗布面に対して実質的に平行に延びていてよい。
塗布具の厚さに沿った横断面は少なくとも塗布面の側で凸形状を有していてよい。
【００１３】
前方から見ると、用品は、円形、又は別の態様では非円形、特に通常は三角形、多角形、楕円形、水滴形又はアーモンド形の形状を有していてよい。
用品は、複数の塗布具を有していてよい。
最初の使用まで、用品は小袋に収納されていてよい。別の態様では、最初の使用まで、塗布面はフィルムで覆われていてよく、このフィルムは塗布具を越えて突出している裏シート部分に着脱可能に装着されている。
【００１４】
また別の態様によれば、本発明の目的は、上記のような用品を使用して化粧製品を塗布する方法であって、
脆弱化領域又は切込みの両側の塗布具を越えて延びている裏シート部分で用品を把持するステップ、
塗布具の２つの部分のうち１つを取り外して裏シートの２つの部分を分離することにより粘着層を部分的に露出させるステップ、
この露出した粘着層に１本又は複数本の指を載せるステップ、
裏シートの２つの部分のうちのもう一方を塗布具から引き外すステップ、及び
処理すべき領域に塗布面を適用させるステップ
を含む方法を提供することである。
【００１５】
本発明による用品は、化粧製品、特に消毒用製品、日焼け止め製品、保湿用製品、小じわ取り製品、マニキュア液、ファンデーション、頬紅、アイシャドウ、口紅、メイク落とし、ヘアケア製品、染髪製品、デオドラント又は制汗用製品、或いは香水の塗布に特に有用である。
【発明を実施するための最良の形態】
【００１６】
上記の構成以外にも、本発明は、以下に説明するような別のいくつかの特徴を有しており、それらについて添付図面を参照し、非限定的実施例に関連して説明する。
【実施例】
【００１７】
図１〜図５に示す化粧製品を塗布するための用品１は、塗布具１０を有しており、この塗布具１０は、肌、粘膜又は体の別の表面部分に製品を塗布するのに使用される塗布面１１を備えている。塗布具１０は、粘着層１２で覆われた面１４も有しており、この粘着層１２は、最初の使用前には裏シート２０で覆われている。
塗布具１０は、３Ｍ Ｓａｎｔｅにより販売されているＭｉｃｒｏｐｏｒｅ（登録商標）フィルムからなっている。この材料は、好ましくは、比較的フレキシブルに塗布を行えるように弾性的に変形可能である。
【００１８】
別の態様では、塗布具は、例えば多孔性又は繊維性の材料、例えば開放気泡型又は独立気泡型発泡体もしくは別のセル構造、特に天然又は合成スポンジ、もしくはフェルト又は繊維構造、特に木綿又は織物の層を有していてよい。或いは、塗布具は、多孔性又は繊維性の材料からなる重ねられた複数のフィルム及び/又は複数の層を有していてよい。
塗布具１０は、限定され且つ実質的に均一な厚さを有しており、これにより、平らな形状が付与されている。例えば、塗布具１０は約０．２ｍｍの厚さを有している。
【００１９】
図示された実施例では、正面から見たときの塗布具１０は円形である。この塗布具１０の直径は例えば４５ｍｍである。このような塗布具は、複数の指、例えば３本の指でこれを保持することができるので、ファンデーションのような製品を顔全体に塗布するのに特に適している。アイシャドウ用の塗布具としては、これより小さな、直径約１５ｍｍの塗布具を使用することが好ましく、このような塗布具は、１つの指先のみに装着される。
【００２０】
別の態様では、正面から見たときの塗布具１０は円形以外の形状であってよく、このことによって、例えば、顔の特定の部分、例えば瞼又は唇への製品の塗布がより簡単に又は正確に行うことができる。例えば、図６Ａ〜６Ｅは、数ある形状のうちの可能な異なる実施例の前面図を示している。前面から見たときの塗布具１０の形状は、実質的に正方形（図６Ａ）、楕円形（図６Ｂ）、三角形（図６Ｃ）、アーモンド形（図６Ｄ）又は水滴形（図６Ｅ）とすることができる。
【００２１】
一方で、塗布具１０は、処理すべき領域に塗布を行うための塗布面１１を画定している。図示された実施例では、塗布具１０は、平らな塗布面を有している。別の態様では、塗布面１１は湾曲していてよく、例えば外側に向かって凸形となっていてよい。
【００２２】
図７に示す実施例では、塗布面１１は、フロック材料１５を備えている。また、非織物状材料又は織物状材料で覆われた塗布面の使用も本発明の範囲に含まれる。
【００２３】
図１〜５の実施例によれば、塗布面１１は製品１３の層で被覆されており、この製品はスクリーン印刷によって堆積させた粉体であってよい。この製品は、例えば口紅、アイシャドウ、ファンデーション、頬紅などである。
【００２４】
別の態様では、製品が面上に堆積されているのではなく、塗布具１０が製品を含浸しているように構成することができる。この構成は、例えば図７に示す塗布具に当てはまる。この実施例では、塗布具は、塗布すべき製品で含浸された多孔性材料、例えば発泡体からなっている。
【００２５】
塗布具１０において、塗布面１１の反対側の面１４は、粘着層１２で覆われている。
粘着剤は、肌より塗布具に強く粘着する、耐水性及び低刺激性の永久粘着剤であってよい。粘着層１２は、塗布具の面１４全体を覆うことのできるフィルムの形態とすることができる。この粘着層は、点の繰り返し又は連続する細片の形態であってもよく、もしくは面１４の中央の領域のみに広がっていてもよい。粘着層は、その結合能を低下させるために、例えば網によって覆ってもよい。
【００２６】
最初の使用の前には、粘着層１２は裏シート２０で覆われている。裏シート２０は、例えば、シリコーン処理された紙又はポリエチレンフィルムからなっている。
裏シート２０は、部分的に塗布具１０の下に位置し、且つシートを２つの部分２１及び２２に分割する切込み３２を有している。
【００２７】
図１〜５に示す実施例では、切込み３２は、非連続的に切られた線、つまり点線状の穿孔であり、２つの部分２１及び２２は、切られていない部分によって繋がっている。
別の態様では、図６Ａ〜６Ｅ及び図８〜１１に示す実施例のように、切込みは、シート２０を２つの部分２１及び２２に完全に分離している連続的に切られた線状の切込み３３であってよい。
【００２８】
さらに別の態様では、図７に示すように、裏シート２０は、脆弱化領域３１、つまりシート２０の残りの部分よりも厚みを小さくした線を有していてよい。
切込み又は脆弱化領域は、図１、６Ａ、６Ｄ、６Ｅ、８及び１０に示す実施例のように直線に沿って延びていても、又は別の態様では図６Ｂ及び６Ｃに示す実施例のように曲線に沿って延びていてもよい。さらに別の態様では、切込み又は脆弱化領域は、図９に示すように、部分的に直線状に且つ部分的に曲線状に沿って延びていてよい。
【００２９】
図１〜５に示す実施例では、２つの部分２１及び２２は同じ寸法を有しておらず、これにより、塗布具を指で保持したまま維持するのに十分な、粘着面の比較的大きな部分を露出させることが可能となる。図示された実施例では、第１の部分２１は塗布具１０の約四分の一を覆っており、第２の部分２２は塗布具１０の四分の三を覆っている。別の態様では、切込み又は脆弱化線はシートを２つの等しい部分に分割し、これにより、図８及び１１に示す実施例のように、部分２１及び２２がそれぞれ塗布具の半分を覆うようになっている。
【００３０】
図１〜５に示す実施例では、裏シート２０の形状は四角形であり、裏シートは塗布具１０の周囲全体に亘って突出している。別の態様では、図１０に示すように、裏シート２０の周囲は、塗布具１０の周囲の一部でのみ突出するように構成することができる。いずれの場合でも、裏シート２０は、切込み又は脆弱化領域の両側に設けられている少なくとも２つの部分２１ａ及び２２ａで塗布具１０を越えて突出しており、これにより、使用者は裏シートを切込み又は脆弱化領域の両側の少なくとも２つの領域で把持することができる。
【００３１】
製品の層１３及び塗布面を保護するために、塗布具１０は例えば小袋で包装されていてよい。
【００３２】
図８に示すように、別の態様では、フィルム４０、特にポリプロピレン又はＰＶＣフィルムによって塗布具１０を覆うことができ、このフィルム４０は、裏シート２０の塗布具１０を越えて突出している部分に着脱可能に装着される。フィルム４０は、例えば２つの線状粘着部４１によって裏シートに固定される。この実施例では、裏シート２０は、塗布具１０だけでなくフィルム４０も越えて突出しており、これにより、使用者は少なくとも２つの部分２１ａ及び２２ａでシート２０を把持することが可能である。フィルム４０が裏シートから突出する代わりに、図１１のように２つの切欠き４２を備えていて、裏シートの２つの部分２１ａ及び２２ａの露出が可能となるように構成されていてもよい。
【００３３】
図９に示す別の実施例では、用品１は、同一の裏シート２０に装着された複数の塗布具１０を有する。裏シート２０は、例えば３つの塗布具１０及びこれと同数の切込み３３を有している。これにより、切込み３３は、シートを４つの部分２１、２２、２３及び２４に分割し、これらの部分は、塗布具を使用する時に、連続的に分離することができる。
【００３４】
図１〜５に示す用品１の製造方法の実施例では、裏シート２０に点線状の切込み３２を切る。次に、両面粘着剤をシート２０に塗布し、製品で被覆されたＭｉｃｒｏｓｐｏｒｅｓ（登録商標）フィルムを粘着剤に適用する。
次にダイカッタを使用してフィルム層及び粘着層を所望の塗布具形状に切断し、最初のアセンブリを、塗布具が点状の切断線をまたぐように切断する。その後、フィルム及び粘着層の不要な部分を除去して用品を整えることにより図１に示す対象物が得られる。
【００３５】
用品１の製造方法の別の態様では、両面粘着層を裏シート２０に適用し、Ｍｉｃｒｏｓｐｏｒｅ（登録商標）フィルム１０をこの粘着層に適用する。裏シート２０に点線状の切込み３２を切り、次にフィルム１０の塗布面を製品で被覆する。続いて、フィルム及び両面粘着剤を、塗布具の所望の形状に切断する。
【００３６】
本発明による用品を使用するためには、使用者は、裏シート２０の部分２１ａ及び２２ａのそれぞれを各手でそれぞれ把持する。次に、裏シート２０の大きい方の部分２２を取り外すことにより、図４に示すように、塗布具の粘着面の大きな部分が露出する。続いて、図５に示すように、露出した粘着層に指を載せることができる。最後に、裏シート２０の第２の部分２１を取り外し、塗布具１０を指先だけで保持する。さらに、塗布具１０を使用者の指に置き、使用者は、塗布前に塗布面に全く触れることなく、処理すべき領域に製品を塗布することができる。
【００３７】
以上の詳細な説明では、本発明の好ましい実施例を参照した。しかし、特許請求の範囲から逸脱することのない変形が提供可能であることは明らかである。
【図面の簡単な説明】
【００３８】
【図１】本発明による用品の第１の実施態様の斜視図である。
【図２】図１の用品の横断面図である。
【図３】図１の用品を底面から見た図である。
【図４】図１の用品を使用する場合の第１のステップを示した図である。
【図５】図１の用品を使用する場合の第２のステップを示した図である。
【図６】本発明による用品の別の実施態様を示す図である。
【図７】本発明による用品のさらに別の実施態様を示す図である。
【図８】本発明による用品のさらに別の実施態様を示す図である。
【図９】本発明による用品のさらに別の実施態様を示す図である。
【図１０】本発明による用品のさらに別の実施態様を示す図である。
【図１１】本発明による用品のさらに別の実施態様を示す図である。
【符号の説明】
【００３９】
１    用品
１０    塗布具
１１    塗布面
１２    粘着層
１３    製品の層
１４    面（粘着層で覆われた面）
１５    フロック材料
２０    裏シート
２１    第１の部分
２２    第２の部分
２１ａ、２２ａ    部分
３１    脆弱化領域
３２    切込み（非連続的な切込み）
３３    切込み（連続的な切込み）
４０    フィルム
４１    線状粘着部
４２    切欠き
【図１】
2005261947.tif 000003
【図２】
2005261947.tif 000004
【図３】
2005261947.tif 000005
【図４】
2005261947.tif 000006
【図５】
2005261947.tif 000007
【図６】
2005261947.tif 000008
【図７】
2005261947.tif 000009
【図８】
2005261947.tif 000010
【図９】
2005261947.tif 000011
【図１０】
2005261947.tif 000012
【図１１】
2005261947.tif 000013
【外国語明細書】
2005261947000001.pdf
2005261947000002.pdf
2005261947000003.pdf
2005261947000004.pdf